(57)【要約】      （修正有）【課題】堅固なライト取付筒体に保護されるように取り付けられ、ライトが壊されにくくなるとともに、ライトがヘルメットから外れたり、光の向きが横にずれたりすることを防止する。【解決手段】へルメット１の正面に前方へ突出するようライト取付筒体５を設け、その中にライト６を取り付ける。この取付けは、ライト６がライト取付筒体５に対し、上下方向あるいは左右方向に向きが変えられるよう行われる。へルメット１の内側に電池９を配設し、へルメット１の表面の適宜箇所にスイッチ８を設け、電池９とスイッチ８とライト６とを直列に接続する。スイッチ８をオンするとライト６が点灯し、ライト６の向きは所望の方向に変えることが出来る。【選択図】図１
0003141494.tif 000002
【実用新案登録請求の範囲】
【請求項１】
頭部を保護するために着用するへルメットにおいて、
該へルメットの正面に前方へ突出するよう設けられたライト取付筒体と、
該ライト取付筒体内に前方を照射するよう取り付けられたライトと、
前記へルメットの表面に取り付けられたスイッチと、
前記へルメットの内側に取り付けられた電池と
を具え、
前記した電池とスイッチとライトとが電気配線により直列に接続されている
ことを特徴とするへルメット。
【請求項２】
ライトの光の向きが変えられるよう、該ライトがライト取付筒体に対し回動自在に取り付けられていることを特徴とする請求項１記載のへルメット。
【請求項３】
へルメットの頂上に点滅ライトを更に取り付け、電池とスイッチとライトと点滅ライトとが電気配線により直列に接続されている
ことを特徴とする請求項１または２記載のへルメット。
【考案の詳細な説明】
【技術分野】
【０００１】
本考案は、工事等の際にかぶるへルメットに関するものである。
【背景技術】
【０００２】
へルメットは、言うまでもなく頭部を保護するためにかぶるものであり、安全を第１に考えるという意識が広くゆきわたっている今日では、ちょっとした工事でも着用が奨励されている。そして、工事が夜間や暗い地下等で行われる場合には、へルメットにライトを取り付けることが行われている。
【０００３】
図４は、従来のへルメットにライトを取り付けた状態を示す図である。図４において、１はへルメット、２はあごひも、３はライト、４はバンドである。ライト３にはバンド４が付けられており、このバンド４をへルメット１の周囲に装着して取り付ける。ライト３の位置は、ちょうどへルメット１の正面にくるような位置とする。
このようなライト３をへルメット１に取り付けると、へルメット１をかぶっている人の前方を照らして、その人の作業をやり易くすると共に、その人が居ることを他人からよく認識してもらえ、その人に危険が及ばないよう工事を安全に進めてもらうことが出来る。
【考案の開示】
【考案が解決しようとする課題】
【０００４】
（問題点）
しかしながら、前記した従来のへルメットには、次のような問題点があった。
第１の問題点は、バンド４が弛んだり外れたりし易いという点である。
第２の問題点は、ライト３の位置がしばしば正面からずれてしまうという点である。
第３の問題点は、ライト３の光の向きが調節できないという点である。
第４の問題点は、ライト３が壊され易いという点である。
【０００５】
（問題点の説明）
まず第１の問題点について説明する。へルメット１の側面は頂上に向かってやや傾斜し、へルメット周回りの長さは頂上に近づくほど小となっている。そのため、バンド４はへルメット１の上部へずれ易い。上部へずれると周回りが短くなるから、どうしても弛み勝ちとなり、場合によってはへルメット１から外れたりすることがある。そこで、へルメットをかぶっている人は、弛んだり外れたりしはしないかと、絶えず注意していなければならず、面倒であるという点である。
【０００６】
次に第２の問題点について説明する。バンド４が弛むと、ライト３はへルメット１の周方向（横方向）へも動き易くなり、頭を強く振ったり、作業の途中に何かが当たったりした拍子に正面位置から横へずれることがある。そうなると、作業に支障をきたすから、ライト３をいちいち正面位置に戻す必要があり、手間がかかる。
【０００７】
次に第３の問題点について説明する。図４に示すように、ライト３は、その背部がへルメット１の外側面に押し当てられるような姿勢で取り付けられる。従って、ライト３の光の方向は、やや上向きかげんになる。しかも、この方向は固定されており、上下に向きを変えることは出来ない。そのため、もう少し下の方向を照らしたいという場合、必要以上に顔を下に向けなければならず、作業をする姿勢が不自然になってしまう。
次に第４の問題点について説明する。ライト３はむきだしのままへルメット１に取り付けられているので、上から何かが落下してきたりした場合に壊され易かった。
本考案は、以上のような問題点を解決することを課題とするものである。
【課題を解決するための手段】
【０００８】
前記課題を解決するため、本考案では、頭部を保護するために着用するへルメットにおいて、該へルメットの正面に前方へ突出するよう設けられたライト取付筒体と、該ライト取付筒体内に前方を照射するよう取り付けられたライトと、前記へルメットの表面に取り付けられたスイッチと、前記へルメットの内側に取り付けられた電池とを具え、前記した電池とスイッチとライトとを電気配線により直列に接続した構造とすることとした。
【０００９】
また、前記ライトの光の向きが変えられるよう、該ライトがライト取付筒体に対し回動自在に取り付けるようにしてもよい。
あるいは、へルメットの頂上に点滅ライトを更に取り付け、電池とスイッチとライトと点滅ライトとを、電気配線により直列に接続した構造としてもよい。
【考案の効果】
【００１０】
本考案のへルメットによれば、次のような効果を奏する。
１．ライトが堅固なライト取付筒体に保護されるように取り付けられているので、ライトが壊されにくくなった。
２．ライトがへルメットから外れたり、光の向きが横にずれたりすることがなくなった。３．ライトの光の向きを、必要に応じて変えることが出来るようになった。
４．へルメットの頂上に点滅ライトを付けた場合、周囲の人から自分の存在をよく認識してもらえ、自分に危険が及ばないよう注意して作業をしてもらえ、安全性が向上した。
【考案を実施するための最良の形態】
【００１１】
以下、本考案の実施形態を図面に基づいて詳細に説明する。
（第１の実施形態）
図１は、本考案の第１の実施形態を示す図である。符号は図４のものに対応し、５はライト取付筒体、６はライト、７は取付部材、８はスイッチ、９は電池である。図１（１）はへルメットを右側方から見た図、図１（２）は左側方から見た図である。
【００１２】
へルメット１の正面には、ライト取付筒体５が設けられている。ライト取付筒体５は、前方に突き出すようにされている筒であり、へルメット１と一体にしかも堅固に作られている。このライト取付筒体５の中に、取付部材７によりライト６を取り付ける。堅固なライト取付筒体５の中に取り付けられているので、上から何か落ちて来てもライト６は保護される。
取付部材７は、ライト６をライト取付筒体５に固定した姿勢で取り付けるものであってもよいし、姿勢を変更し得るよう取り付けるものであってもよい。
【００１３】
図示したものは、ライト６の光の向きを上下に変更し得るようにしたものであるが、このような場合、取付部材７は軸状のものとし、それを軸としてライト６を上下方向に回動して光の向きを変える。所望の向きに変えたところで、ねじを締める等してその姿勢に固定する。
あるいは、予め何段階かにカクンカクンと段階的に回動し、或る程度の回動力を加えなければその位置を保つというようにしておき、所望の段階のところへ回動して、光の向きに変えるようにしてもよい。
図１では、上下方向に光の向きを変える構造のものを例示したが、左右方向に変える構造のものとすることも出来ることは、言うまでもない。
【００１４】
電池９は、へルメット１の内側の適宜箇所（図では後部）に配設する。へルメット１の内側には、通常、厚みのあるクッション材（例、発泡スチロール）が裏貼りしてあり、小さな乾電池ならば幾つも配設することが出来る空間が存在しているから、充分に配設することが出来る。
また、スイッチ８は、へルメット１の表面の適宜箇所に配設する。図示した例では、スイッチ８をへルメット１の右外側から操作できるよう右外側面に設けているが、左外側面に設けてもよい。あるいは、へルメット１の内側面のどこかの縁近くに設けてもよい。縁に近いと、そこに指を入れて容易に操作することが出来る。
電池９とライト６とスイッチ８とを接続する配線は、図では示してないが、へルメット１の内面に電線を這わせることにより行う。
【００１５】
このように構成したへルメット１をかぶり夜間等に工事をする際には、へルメット１に付いているスイッチ８をオンする。すると、電池９からライト６へ電流が流れ、ライト６が点灯され、前方を照らしてくれる。ライト６の位置は、へルメット１の正面に固定されているから、作業をしているうちに、何かの拍子にライト６の光の向きが横にずれてしまうということはない。
また、ライト６はライト取付筒体５に入れられて保護されているから、上方から何かが落下して来ても、壊される心配がない。
【００１６】
ライト６がライト取付筒体５に対して可動となるよう取り付けられている場合、作業の都合でライト６の光の方向を変えることが出来る。例えばもう少し下向きにしたいという場合には、ライト６の向きを下向きに変えることが出来る。
図２は、本考案のへルメット１でライト６の向きを下向きに変えた状態を示す図である。従来のようにへルメットにライトを別途取付けた場合には、光を下向きにするには顔を必要以上に下向きにしなければならなかったが、本考案のへルメット１では、そのような不自然な姿勢をする必要はない。
【００１７】
（第２の実施形態）
図３は、本考案の第２の実施形態を示す図である。符号は図１のものに対応し、１０は点滅ライトである。
これは、へルメット１の頂上に更に点滅ライト１０を配設したものである。点滅ライト１０としては、例えば発光ダイオードを用いたものを利用する。最近では、小電力で強力な光を発する発光ダイオードが開発され、発光ダイオードと点滅用の回路を組み込んだユニットが、点滅ライトとして市販されているので、それを利用する。
点滅ライト１０はライト６と直列に接続され、スイッチ８をオンすると電池９から電流が流され、ライト６が点灯すると共に点滅ライト１０が点滅する。
【００１８】
点滅ライト１０は、へルメット１の頂上に付けられているので、四方に光を放つ。しかも、その光は、他人の注意を喚起し易い点滅光である。従って、へルメット１をかぶって作業している人は、四方の人から自分が居ることをよく認識してもらえ、自分に危険が及ばないよう工事を安全に進めてもらうことが出来る。
【図面の簡単な説明】
【００１９】
【図１】本考案の第１の実施形態を示す図
【図２】本考案のへルメットでライトの向きを変えた状態を示す図
【図３】本考案の第２の実施形態を示す図
【図４】従来のへルメットにライトを取り付けた状態を示す図
【符号の説明】
【００２０】
１…へルメット、２…あごひも、３…ライト、４…バンド、５…ライト取付筒体、６…ライト、７…取付部材、８…スイッチ、９…電池、１０…点滅ライト
【図１】
0003141494.tif 000003
【図２】
0003141494.tif 000004
【図３】
0003141494.tif 000005
【図４】
0003141494.tif 000006